(57)【要約】      （修正有）【課題】立上りと歩行が困難な使用者を、吊り上げるだけでなく、座位での歩行を支援したり、自分の足で立ち上がるのを支援したり、さらには立位での歩行を支援したりすることができる歩行・立上り支援吊り具を提供する。【解決手段】歩行・立上り支援吊り具１は、座板２と、座板２の複数箇所から延びる吊り紐１１、１２とを含み構成されている。座板２は、左前部に、使用時に使用者の左大腿部が入り得る後方への左切欠３が形成され、右前部に、使用時に使用者の右大腿部が入り得る後方への右切欠４が形成され、左切欠３と右切欠４との間に、使用時に使用者の股間に位置する前方への凸部５が相対的に形成されている。座板２の左後部と右後部と凸部の３箇所から、吊り紐１１、１２が延び出している。【選択図】図１
0003229600.tif 000002
【実用新案登録請求の範囲】
【請求項１】
座板と、座板の複数箇所から延びる吊り紐とを含む吊り具において、
座板（２）は、左前部に、使用時に使用者の左大腿部が入り得る後方への左切欠（３）が形成され、右前部に、使用時に使用者の右大腿部が入り得る後方への右切欠（４）が形成され、左切欠（３）と右切欠（４）との間に、使用時に使用者の股間に位置する前方への凸部（５）が形成されており、
座板（２）の左後部と右後部と凸部とから、吊り紐（１１，１２）が延び出していることを特徴とする歩行・立上り支援吊り具。
【請求項２】
座板（２）の左側前部と右側前部とからも、吊り紐（１１，１２）が延び出している請求項１記載の歩行・立上り支援吊り具。
【請求項３】
座板（２）の上面に、クッション材が設けられている請求項１又は２記載の歩行・立上り支援吊り具。
【請求項４】
座板（２）の凸部（５）から延びる吊り紐（１２）の、使用時に使用者の股間を向く部位にクッション材が設けられている請求項１、２又は３記載の歩行・立上り支援吊り具。
【請求項５】
座板（２）の凸部（５）から延びる吊り紐（１２）の、使用時に使用者の股間を向く部位が弾性材料で形成されている請求項１、２又は３記載の歩行・立上り支援吊り具。
【考案の詳細な説明】
【技術分野】
【０００１】
本考案は、立上りと歩行が困難な使用者を、吊り上げるとともに歩行支援するための吊り具に関するものである。
【０００２】
高齢者、病人、怪我人等の立上りが困難な方を、ベッドの上で寝ている又は腰掛けている等の状態から、リフトで吊り上げる際に使用する吊り具としては、特許文献１及び２のように、背中から臀部を支える後方支え部と両大腿の下を支える前方支え部とを可撓性シート材料により形成してなる、「スリングシート」が一般的に使用されている。このスリングシートは、立上りが困難な使用者を吊り上げることについては、安定性、取扱性、軽量性等において非常に優れている。
【０００３】
また、特許文献３には、身体不自由者に腰を掛けさせるための座板と、該座板を吊り下げるため介護リフトから身体不自由者の左右両側の前後に垂下する吊り紐とを、該吊り紐の下端で着脱自在の構成とした「吊り座板」が記載されている。この吊り座板は、常に身体不自由者と共に在ることができるから、身体不自由者をベッド又は車椅子から介護リフトで吊り上げる際、介護者は単に吊り座板に吊り紐の下端を接続するだけで、身体不自由者を持上げる労力が不要となる、と記載されている。
【先行技術文献】
【特許文献】
【０００４】
【特許文献１】実願平４−６６９２７号（実開平６−２９５２９号）のＣＤ−ＲＯＭ
【特許文献２】特開平７−２３６６６３号公報
【特許文献３】特開平９−１９４６４号公報
【考案の概要】
【考案が解決しようとする課題】
【０００５】
高齢化や様々な疾患により、歩行が困難な方が増えてきている。歩行ができても、転倒のリスクが高いため、歩くチャンスが次第に減っていく。そのため、ベッドで横になるか、リクライニングの車いすで過ごす時間が長くなり、心肺機能や抗重力筋が衰え、多くの廃用が進む。そこで、少しでも自立の維持向上のために、座位歩行や立位歩行ができる、安全で効果的な福祉用具の開発が求められている。
【０００６】
しかし、特許文献１，２のようなスリングシートは、吊り上げた使用者を車椅子、風呂、トイレ等に移すのが目的のものであって、リフト時に使用者の臀部を落とし込ませて抱えるように支えるため、その状態（座位）で使用者が歩行することや、その状態（座位）から使用者が自分の足で立ち上がろうとすることは、困難であった。
【０００７】
また、特許文献３の吊り座板は、リフト時に使用者の臀部を落とし込ませるものではないが、座板が単純な長方形板であるとともに、その四隅に吊り紐の下端を接続するものであるため、その状態（座位）で使用者が歩行しようとすると、膝上を動かしにくいとともに、股間が前にずれて臀部が座板から脱落しそうになるため、歩行は困難であった。また、その状態から使用者が立ち上がることも、臀部が座板から脱落しやすいため、困難であった。
【０００８】
そこで、本考案の目的は、立上りと歩行が困難な使用者を、吊り上げるだけでなく、座位での歩行を支援したり、自分の足で立ち上がるのを支援したり、さらには立位での歩行を支援したりすることができる歩行・立上り支援吊り具を提供することにある。
【課題を解決するための手段】
【０００９】
本考案の歩行・立上り支援吊り具は、
座板と、座板の複数箇所から延びる吊り紐とを含む吊り具において、
座板は、左前部に、使用時に使用者の左大腿部が入り得る後方への左切欠が形成され、右前部に、使用時に使用者の右大腿部が入り得る後方への右切欠が形成され、左切欠と右切欠との間に、使用時に使用者の股間に位置する前方への凸部が形成されており、
座板の左後部と右後部と凸部とから、吊り紐が延び出していることを特徴とする。
【００１０】
ここで、座板の左側前部と右側前部とからも、吊り紐が延び出していることが好ましい。
【００１１】
［作用］
臀部下に座板を挿入し、吊り紐を介護用リフトのハンガーに掛けて、足が床から離れない程度に使用者を吊り上げ、ブランコに座ったような状態にすると、この状態で使用者はプランコ運動したり座位歩行したりすることができる。座板は左切欠と右切欠を形成しているため、股関節、大腿部の抵抗感を減らすことができ、ブランコ運動又は座位歩行がスムースにできる。また、凸部から延びる吊り紐が股間を支持するため、使用者は脱落の心配なく安全にブランコ運動又は座位歩行ができる。
【００１２】
座位姿勢からさらに使用者を吊り上げ、重心を前傾しながら吊り上げると、座板は臀部下から後方に持ち上がり、座位の姿勢から徐々に立位姿勢に移行するため、容易に立位姿勢を取ることができる。そして、凸部から延びる吊り紐が股間を支持するため、使用者は脱落の心配なく安全に立位の状態で歩行することができる。
【考案の効果】
【００１３】
本考案の歩行・立上り支援吊り具によれば、立上りと歩行が困難な使用者を、吊り上げるだけでなく、座位での歩行を支援したり、自分の足で立ち上がるのを支援したり、さらには立位での歩行を支援したりすることができる。
【図面の簡単な説明】
【００１４】
【図１】図１は実施例１の歩行・立上り支援吊り具を示し、（ａ）は座板のみの平面図、(ｂ)は吊り具の平面図である。
【図２】図２は同吊り具を使用して使用者を吊り上げ始めるときの斜視図である。
【図３】図３の(ａ)は使用者が座位歩行するときの斜視図、(ｂ)は使用者が立位歩行するときの斜視図である。
【図４】図４は実施例２の歩行・立上り支援吊り具を示し、（ａ）は座板のみの平面図、(ｂ)は吊り具の平面図である。
【図５】図５は実施例３の歩行・立上り支援吊り具を示し、（ａ）は座板のみの平面図、(ｂ)は吊り具の平面図である。
【考案を実施するための形態】
【００１５】
１．座板
座板は、板状をなすものであればよい。
座板の材料としては、特に限定されないが、樹脂、木、金属、繊維等を例示できる。
【００１６】
２．吊り紐
吊り紐の形態としては、特に限定されないが、ベルト、ロープ、ワイヤー、チェーン等を例示できる。
吊り紐の材料としては、特に限定されないが、繊維、樹脂、ゴム、金属等を例示できる。
吊り紐は、長さ方向の途中部で切離し可能にジョイントされたものでもよい。
【００１７】
３．クッション材等
座板の上面に、クッション材が設けられていることが好ましい。臀部が痛くならないようにするためである。
座板の凸部から延びる吊り紐の、使用時に使用者の股間を向く部位にクッション材が設けられていることが好ましい。あるいは、座板の凸部から延びる吊り紐の、使用時に使用者の股間を向く部位が弾性材料（例えば、伸縮性布、ゴム等）で形成されていることが好ましい。凸部から延びる吊り紐は股間に食い込みやすいため、股間が痛くならないようにするためである。
座板の凸部から延びる吊り紐の、使用時に使用者の股間を向く部位が高滑り性材料（例えば、ポリテトラフルオロエチレン、高密度ポリエチレン等）で形成されていることが好ましい。吊り紐と股間との間が滑りやすくなり、座位姿勢から立位姿勢に移行しやすいからである。
【実施例】
【００１８】
本考案を具体化した実施例について説明する。説明する各部の構造、材料、形状、寸法等は例示であり、考案の要旨を逸脱しない範囲で適宜変更できる。
【００１９】
［実施例１］
図１〜図３に示す実施例１の歩行・立上り支援吊り具１は、座板２と、座板２の複数箇所から延びる吊り紐１１，１２とを含み構成されている。座板２は例えば樹脂製である。吊り紐１１，１２は例えば布ベルトである。
【００２０】
座板２は、左前部に、使用時に使用者の左大腿部が入り得る後方への左切欠３が形成され、右前部に、使用時に使用者の右大腿部が入り得る後方への右切欠４が形成され、左切欠３と右切欠４との間に、使用時に使用者の股間に位置する前方への凸部５が相対的に形成されている。座板２の後半部分は矩形である。
【００２１】
座板２は、左右長さが３８０ｍｍ、前後長さ（凸部５を含む）が２５０ｍｍ、左切欠３及び右切欠４の凹の曲率半径が１２０〜１５０ｍｍ、左切欠３及び右切欠４の後方への最大深さ（左切欠３の左端・右切欠４の右端）が１３０ｍｍである。座板２の上面には、クッション材（図示略）が設置され、ずれないように取り付けられている。
【００２２】
座板２の左後部と右後部と凸部の３箇所から、吊り紐１１，１２が延び出している。
具体的には、座板２の左後部と右後部と中央寄り後部２箇所とにスリット穴６が形成され、これらのスリット穴６に吊り紐１１が通されることにより、座板２の左後部と右後部の２箇所から吊り紐１１が延び出している。
また、座板２の凸部５の前端付近とそれよりも後部とにスリット穴７が形成され、これらのスリット穴７に吊り紐１２が通されることにより、座板２の凸部５から吊り紐１２が延び出している。この凸部５から延びる吊り紐１２の、使用時に使用者の股間を向く部位にクッション材（図示略）が設置されている。
【００２３】
以上のように構成された本実施例の歩行・立上り支援吊り具１の使用方法を、次に説明する。
（１）図２に示すように、ベッド又は椅子の上で、臀部下に座板２を挿入し、使用者は端座位姿勢（座位）になる。吊り紐１１，１２を介護用リフト２０のハンガー２１に掛ける。吊り紐１２は凸部５からＶ字状に延びるようにしてハンガー２１に掛ける。このとき、座板２は容易に水平、前傾又は後傾の角度調整ができる。座板２は水平でもよいが、予め前傾の角度をつけておくと、後述する（３）で立位姿勢により移行しやすくなる。
【００２４】
（２）図３（ａ）に示すように、足が床から離れない程度に使用者を介護用リフト２０で吊り上げ、ブランコに座ったような状態にする。この状態で使用者は、吊り具１を軽く足で揺らしてプランコ運動したり、吊り具１と共に座位のままで歩行したりすることができる。座板２は左切欠３と右切欠４を形成しているため、ブランコ運動時又は座位歩行時の股関節、大腿部の抵抗感を減らすことができ、ブランコ運動又は座位歩行がスムースにできる。また、凸部５から延びる吊り紐１２が股間を支持するため、使用者は脱落の心配なく安全にブランコ運動又は座位歩行できる。
【００２５】
（３）図３（ｂ）に示すように、座位姿勢からさらに使用者を吊り上げ、重心を前傾しながら介護用リフト２０を上げると、座板２は臀部下から後方に持ち上がり、座位の姿勢から徐々に立位姿勢に移行するため、容易に立位姿勢を取ることができる。そして、凸部５から延びる吊り紐１２が股間を支持するため、使用者は脱落の心配なく安全に立位の状態で歩行することができる。
【００２６】
［実施例２］
次に、図４に示す実施例２の歩行・立上り支援吊り具１は、座板２の左切欠３及び右切欠４の後方への最大深さ（左切欠３の左端・右切欠４の右端）が９０ｍｍと浅くされて、座板２の側辺が長くされ、座板２の左側前部と右側前部とにもスリット穴６が形成され、これらのスリット穴６にも吊り紐１１が通されることにより、座板２の左側前部と右側前部の２箇所からも、吊り紐１１が延び出している点において、実施例１と相違するものであり、その他は実施例１と共通である。この吊り紐１１もハンガー２１に掛けて使用する。
【００２７】
本実施例の歩行・立上り支援吊り具１の使用方法は、基本的には実施例１で述べた（１）（２）（３）と同様であるが、座板（２）の５箇所から延びる吊り紐１１，１２をハンガー２１に掛けて使用するので、特に（２）のブランコ運動又は座位歩行がさらに安定的にできる。
【００２８】
［実施例３］
次に、図５に示す実施例３の歩行・立上り支援吊り具１は、座板２の前後長さ（凸部５を含む）が３００ｍｍと大きくされた点において、実施例２と相違するものであり、その他は実施例２と共通である。
【００２９】
本実施例の歩行・立上り支援吊り具１の使用方法は、実施例２と同様である。使用者の体格や好みに応じて、寸法の異なる実施例を使い分けることができる。
【００３０】
本考案は、前記実施例に限定されるものではなく、考案の要旨から逸脱しない範囲で、適宜変更して具体化することができる。
【符号の説明】
【００３１】
１    歩行・立上り支援吊り具
２    座板
３    左切欠
４    右切欠
５    凸部
６    スリット穴
７    スリット穴
１１    吊り紐
１２    吊り紐
２０    介護用リフト
２１    ハンガー
【図１】
0003229600.tif 000003
【図２】
0003229600.tif 000004
【図３】
0003229600.tif 000005
【図４】
0003229600.tif 000006
【図５】
0003229600.tif 000007